【事件の表示】
　特許第２８４２４３８号「液晶表示装置」の請求項１に係る特許に対する特許異議の申立てについて、次のとおり決定する。
【結　論】
　訂正を認める。
　特許第２８４２４３８号の請求項１に係る特許を維持する。
【理　由】
１．手続きの経緯
  本件特許第２８４２４３８号に係る発明についての出願は、昭和６２年９月１８日に出願された特願昭６２−２３５３４５号の一部を特許法第４４条第１項の規定により、平成９年８月１日に特許出願されたものであって、平成１０年１０月２３日にその発明についての特許の設定登録がなされ、その後、名越千栄子より特許異議の申し立てがなされ、取消理由通知がなされ、その指定期間内である平成１１年１２月７日に訂正請求がなされたものである。
　
２．訂正の適否についての判断
（１）訂正の内容
　訂正の内容は、特許請求の範囲、
「第１偏光子と第２偏光子との間に、対向する一対の透明絶縁基板にそれぞれ電極と配向膜とを積層してそれらの基板間に液晶を封入した液晶パネルと、該液晶パネル内での光の位相変化を補正する透明フィルムとを備えた液晶表示装置であって、該透明フィルムは、液晶分子を含む部材、または液晶分子と同等の特性を有する分子を含む部材からなる透明なフィルムであり、該液晶パネルの液晶と該透明フィルムの部材とは、分子が互いに逆方向にツイストしツイスト角が９０度以上でほぼ同一の値を有し、複屈折率Δｎと厚さｄとの積Δｎ・ｄが共に０．７〜１．４μｍの範囲にあり、最近接分子同志のなす角度がほぼ直角であり、かつプレチルト角がほぼ同一であることを特徴とする液晶表示装置。」
を、
「第１偏光子と第２偏光子との間に、対向する一対の透明絶縁基板にそれぞれ電極と配向膜とを積層してそれらの基板間に液晶を封入した液晶パネルと、該液晶パネル内での光の位相変化を補正する透明フィルムとを備えた液晶表示装置であって、該透明フィルムは、液晶分子を含む部材、または液晶分子と同等の特性を有する分子を含む部材からなる透明なフィルムであり、該液晶パネルの液晶と該透明フィルムの部材とは、分子が互いに逆方向にツイストしツイスト角が９０度以上で同一の値を有し、複屈折率Δｎと厚さｄとの積Δｎ・ｄが共に０．７〜１．４μｍの範囲にあり、最近接分子同志のなす角度が直角であり、かつプレチルト角が同一であることを特徴とする液晶表示装置。」
と訂正し、明細書の段落番号【０００８】をこれにあわせて訂正し、また、誤記の訂正を目的として【００４４】を訂正するものである。
　
（２）訂正の目的の適否、新規事項の有無及び拡張・変更の存否
　特許請求の範囲の訂正は、ツイスト角が「ほぼ同一の値」、なす角度が「ほぼ直角」及びプレチルト角が「ほぼ同一」とあったものを、「ほぼ」を削除したものであるから、特許請求の範囲の減縮及び明りょうでない記載の釈明に該当し、また、明細書の訂正は、特許請求の範囲の訂正に整合するように訂正することは明りょうでない記載の釈明に該当し、他の訂正は明らかな誤記の訂正であり、ともに、新規事項の追加には該当せず、実質的に特許請求の範囲を拡張・変更するものではない。
　
（３）独立特許要件の検討
［特許法第２９条第２項関係］
（引用例）
　取消理由通知に引用した、本件出願前公知である刊行物１（特開昭５７−９６３１５号公報）には、
「１．液晶分子の長軸方向を螺旋状に配向した液晶層を螺旋軸方向に二層積層し、前記液晶層の少なくとも一部に電圧を印加して液晶分子の配向状態を変換する給電手段と前記液晶分子の配向変換を顕視化する偏光手段を配設して成るツイステッドネマティック液晶表示装置に於いて、前記給電手段が実質的に前記液晶層の一方のみに設定され、他方の液晶層を補正板として機能せしめたことを特徴とする二層型液晶表示装置。
２．各液晶層の最近接液晶分子の長軸方向が相互にほぼ直交状態に設定されている特許請求の範囲第１項記載の二層型液晶表示装置。
３．各液晶層の層厚ｄと正常光線及び異常光線に対する屈折率の差△ｎの積ｄ・△ｎを略々等しく設定した特許請求の範囲第１項記載の二層型液晶装置。
４．｜ｄ・△ｎ｜の値を０．８ ６μｍ以上２．０μｍ以下に設定した特許請求の範囲第３項記載の二層型液晶表示装置。」（特許請求の範囲）、
「この場合には、上述の干渉色による色付き現象が見られないことになる。本発明の（Ｂ）曲線は、実質的にこの理想値にほぼ等しい曲線が得られ、従来装置に見られた色付き現象が事実上無くなっている。」（公報第３頁左下欄第６行〜第１０行）と記載されている。
　同じく、刊行物２（特開昭５５−２１４７９号公報）には、
所定の化学式で示されるエステル構造をもつコレステリック液晶ポリマー相の発明が記載されており、この液晶ポリマー相はフィルムに成形でき、オプトエレクトロニクス等の分野でのフィルター等として利用でき、特にこのフィルターはディスプレー技術（Ｓｃｈｅｆｆｅｒ　ｃｅｌｌ）に採用されることが記載されている（公報第５頁右上欄最下行〜右下欄第第５行、及び第１４頁左下欄第７行〜第１４行）。
　同じく刊行物３（特開昭６２−７０４０７号公報）には、
液晶性モノマーを液晶状態を保持しつつ光重合させて配向膜を製造する方法の発明が記載されており、配向膜は「配向方向とそれに垂直な方向とでの光学的異方性を利用して、位相差膜に用い」られることが記載されており（公報第１頁左欄下から第４行〜第２行）、また第３頁右下欄下から第３行〜第４頁右上欄第５行には、上記配向膜の作製方法が具体的に記載されており、支持体として透明プラスチックが用いられること、配向処理としてラビング処理が用いられることが記載されている。
　
（対比）
　訂正後の発明（以下、訂正発明という。）と刊行物１に記載された発明（以下、引用発明という。）とを対比すると、両者は、
「第１偏光子と第２偏光子との間に、対向する一対の透明絶縁基板にそれぞれ電極と配向膜とを積層してそれらの基板間に液晶を封入した液晶パネルと、該液晶パネル内での光の位相変化を補正する透明部材とを備えた液晶表示装置であって、該透明部材は、液晶分子を含む部材、または液晶分子と同等の特性を有する分子を含む部材からなる透明部材であり、該液晶パネルの液晶と該透明部材とは、分子が互いに逆方向にツイストしツイスト角が９０度以上で同一の値を有し、複屈折率Δｎと厚さｄとの積Δｎ・ｄが共に０．７〜１．４μｍの範囲にあり、最近接分子同志のなす角度が直角である液晶表示装置」
である点で一致しており、
ａ）透明部材が、訂正発明では、「透明フィルム」であるのに対し、引用発明では、液晶層である点、
ｂ）訂正発明では、「プレチルト角が同一である」のに対し、引用発明では、プレチルト角に関する記載はない点、
で相違している。
　
（当審の判断）
　上記相違点ｂ）について検討する。
　訂正発明は、液晶と透明フィルムとが、ツイスト角が逆方向にねじれかつ同一の値、Δｎ・ｄが共に０．７〜１．４μｍの範囲、最近接分子同志のなす角度が直角、という条件に加え、プレチルト角が同一という条件を併せ具備することにより、良好な白黒表示を実現する、という作用効果を奏するものと認められる。
　刊行物２及び刊行物３には、液晶ポリマーフィルムを位相差膜等に用いるとの公知技術は記載されているが、プレチルト角までも同一にするとの技術思想は刊行物１〜刊行物３にはないから、これらに基づき、相違点ｂ）に関する構成要件を想到することは、当業者といえども容易ではない。
　それ故、訂正発明は、刊行物１〜刊行物３に記載された発明に基づいて、当業者が容易に発明をすることができたものではない。
　
［特許法第２９条の２関係］
（先願明細書）
　取消理由通知に引用した、本願の出願日前の他の出願であって、本願の出願後に出願公開された特願昭６２−１２１７０１号（特開昭６４−５１９号）の願書に最初に添付した明細書又は図面（以下、先願明細書という。）には、公開公報により特定すると、
「（１）対向して配置する２枚の電極基板間にねじれ配向したネマチック液晶を挟持してなる液晶セルと、前記液晶セルを挟んで両側に配置された一対の偏光板からなる液晶表示装置において、前記ネマチック液晶以外に光学的異方体を一対の前記偏光板の間に少なくとも一層備えることを特徴とする液晶表示装置。
（３）前記光学的異方体が、フィルム状高分子であることを特徴とする特許請求の範囲第１項記載の液晶表示装置。
（４）前記光学的異方体であるフィルム状高分子が、コレステリック相を示す液晶性高分子フィルムである事を特徴とする特許請求の範囲第３項記載の液晶表示装置。
（７）前記光学的異方体と前記ネマチック液晶の隣接する面での各々の光軸の方向がほぼ垂直か、あるいはほぼ平行であることを特徴とする特許請求の範囲第１項記載の液晶表示装置。」（特許請求の範囲第１項、第３〜４項及び第７項）、
「本発明においては、この光学的異方体２８が、偏光２３１、２３２、２３３が液晶セル２４を通過する事により生じた波長分散をキャンセルする作用をしているのである。」（公報第５頁左上欄下から第１行〜右上欄第４行）、
「（１）液晶セルの△ｎ・ｄと、光学的異方体の△ｎ・ｄの絶対値が等しい。
（２）液晶セルのツイスト角をθとすると光学的異方体のツイスト角はマイナスθである（ねじれの向きが逆である）。
（３）光学的異方体の液晶セルと対向する表面の光軸方向３３と液晶セルの上側電極基板のラビング方向３２とのなす角３９は９０度である。
以上の３条件が成り立つ時、△ｎ・ｄの値やツイスト角θの値の如何にかかわらず液晶表示装置のオフ状態における着色の完全な解消、すなわち白色化ができる。以上の説明は全てオフ状態における着色の解消のメカニズムについてのものであった。本発明においてはオン状態における着色も同時に解消されている。オン状態の着色の解消の理由について厳密に説明する事は不可能ではないが、はんざつである。いずれにせよ発明者は後述する実施例に多くの実例を示した様に実験的に様々な条件においてもオン状態の着色が全く、あるいはほとんど無い事を確認した。」（公報第６頁右上欄第１０行〜左下欄第１０行）、
「（実施例３４）
　第３９図において、Ｂセルの液晶のねじれ角３９７４を約１８０度の左ねじれ、Δｎ×ｄが０．９μｍとなるようにＢセルを組み立てた。一方、Ａｃｈフィルムをあらかじめ、角度３９７８を約１８０度の右ねじれ、Δｎ×ｄを一軸延伸フィルムに換算して約０．９μｍとなるように調整し、角度３９７５を８０度から１００度の範囲、角度３９７６を４０度から５０度の範囲、角度３９７７を４０度から５０度の範囲に設定して液晶表示装置を製造した。」（公報第１４頁右上欄第１１行〜左下欄第１行）、
「〔発明の効果〕
　本発明によって、従来の液晶表示装置、特にＳＴＮ−ＬＣＤの大きな欠点であった着色現象が解決できた。つまり本発明は完全な白黒表示を可能とした。」（公報第１４頁右下欄第１行〜第５行）と記載されている。
　上記記載によれば、先願明細書には、
「対向して配置する２枚の電極基板間にねじれ配向したネマチック液晶を挟持してなる液晶セルと、前記液晶セルを挟んで両側に配置された一対の偏光板からなる液晶表示装置において、液晶性高分子フィルムからなる光学的異方体を一対の前記偏光板の間に少なくとも一層備え、前記光学的異方体と前記ネマチック液晶の隣接する面での各々の光軸の方向がほぼ垂直であり、液晶セルの△ｎ・ｄと、光学的異方体の△ｎ・ｄの絶対値が０．９μｍと等しく、液晶セルのツイスト角と光学的異方体のツイスト角はともに１８０度でねじれの向きが逆である液晶表示装置」の発明（以下、先願発明という。）が記載されている。
　
（対比）
　訂正発明と先願発明とを対比すると、両者は、
「第１偏光子と第２偏光子との間に、対向する一対の透明絶縁基板にそれぞれ電極と配向膜とを積層してそれらの基板間に液晶を封入した液晶パネルと、該液晶パネル内での光の位相変化を補正する透明フィルムとを備えた液晶表示装置であって、該透明フィルムは、液晶分子を含む部材、または液晶分子と同等の特性を有する分子を含む部材からなる透明なフィルムであり、該液晶パネルの液晶と該透明フィルムの部材とは、分子が互いに逆方向にツイストしツイスト角が９０度以上で同一の値を有し、複屈折率Δｎと厚さｄとの積Δｎ・ｄが共に０．７〜１．４μｍの範囲にあり、最近接分子同志のなす角度が直角である、ことを特徴とする液晶表示装置」
である点で一致しており、
訂正発明では、液晶パネルの液晶と透明フィルムの部材とは「プレチルト角が同一である」のに対し、先願発明では、プレチルト角に関する記載がない点、
で相違している。
　
（当審の判断）
　訂正発明と先願発明とは、上記の相違点を有し、訂正発明は、液晶と透明フィルムとが、ツイスト角が逆方向にねじれかつ同一の値、Δｎ・ｄが共に０．７〜１．４μｍの範囲、最近接分子同志のなす角度が直角、という条件に加え、プレチルト角が同一という条件を併せ具備することにより、良好な白黒表示を実現する、という作用効果を奏するものと認められる。
　してみれば、上記相違点を、課題解決のための具体化手段における微差とはいえないから、訂正発明と先願発明とは同一の発明ではない。
　
（結論）
　以上のとおりであるから、訂正発明は、出願の際独立して特許を受けることができるものである。
　
（４）訂正の適否についてのむすび
　以上のとおりであるから、上記訂正請求は、特許法等の一部を改正する法律（平成６年法律第１１６号）附則第６条第１項の規定によりなお従前の例によるとされる、特許法第１２０条の４第２項及び同条第３項において準用する平成６年法律第１１６号による改正前の特許法第１２６条第１項ただし書、第２項及び第３項の規定に適合するので、当該訂正を認める。
　
３．特許異議申立てについて
（１）特許異議申立人の主張の概要
  特許異議申立人名越千栄子は、甲第１号証として特開昭５７−９６３１５号公報、甲第２号証として特開昭５５−２１４７９号公報、甲第３号証として特開昭６２−７０４０７号公報及び甲第４号証として特願昭６２−１２１７０１号（特開昭６４−５１９号公報）を提示して、本件発明は、甲第１号証に記載された発明に甲第２号証および甲第３号証に記載された発明を組み合わせて当業者が容易に想到しうるものであるから、特許法第２９条第２項の規定により、特許を受けることができない発明であり、また、甲第４号証に記載された発明と同一であるから、特許法第２９条の２の規定により特許を受けることができないものである旨主張している。
　
（２）本件特許の請求項に係る発明
　本件特許第２８４２４３８号に係る発明は、訂正された特許明細書及び図面の記載からみて、その特許請求の範囲に記載されたとおりのものである。
　
（３）甲各号証に記載された発明
  特許異議申立人の提示した甲第１号証ないし甲第４号証は、取消理由通知に引用した刊行物１ないし刊行物３及び先願明細書であるから、上記２．訂正の適否についての判断、（３）独立特許要件の検討、［特許法第２９条第２項関係］（引用例）及び［特許法第２９条の２関係］（先願明細書）に示した発明が記載されている。
　
（４）対比・判断
　本件発明と甲各号証に記載された発明との対比・判断は、上記２．訂正の適否についての判断、（３）独立特許要件の検討、［特許法第２９条第２項関係］（対比）、（当審の判断）及び［特許法第２９条の２関係］（対比）、（当審の判断）に示したとおりであり、本件発明は、甲第１号証ないし甲第３号証に記載された発明に基づいて、当業者が容易に発明をすることができたものではないし、また、甲第４号証に記載された発明と同一の発明でもない。
　
（５）むすび
　以上のとおりであるから、特許異議の申立ての理由及び証拠によっては、本件発明の特許を取り消すことはできない。
　また、他に本件発明の特許を取り消すべき理由を発見しない。
　
　よって、結論のとおり決定する。
【異議決定日】
平成１３年１月１８日（２００１．１．１８）
【訂正の要旨】
１．訂正事項１
　特許請求の範囲、
「第１偏光子と第２偏光子との間に、対向する一対の透明絶縁基板にそれぞれ電極と配向膜とを積層してそれらの基板間に液晶を封入した液晶パネルと、該液晶パネル内での光の位相変化を補正する透明フィルムとを備えた液晶表示装置であって、該透明フィルムは、液晶分子を含む部材、または液晶分子と同等の特性を有する分子を含む部材からなる透明なフィルムであり、該液晶パネルの液晶と該透明フィルムの部材とは、分子が互いに逆方向にツイストしツイスト角が９０度以上でほぼ同一の値を有し、複屈折率Δｎと厚さｄとの積Δｎ・ｄが共に０．７〜１．４μｍの範囲にあり、最近接分子同志のなす角度がほぼ直角であり、かつプレチルト角がほぼ同一であることを特徴とする液晶表示装置。」
を、
「第１偏光子と第２偏光子との間に、対向する一対の透明絶縁基板にそれぞれ電極と配向膜とを積層してそれらの基板問に液晶を封入した液晶パネルと、該液晶パネル内での光の位相変化を補正する透明フィルムとを備えた液晶表示装置であって、該透明フィルムは、液晶分子を含む部材、または液晶分子と同等の特性を有する分子を含む部材からなる透明なフィルムであり、該液晶パネルの液晶と該透明フィルムの部材とは、分子が互いに逆方向にツイストしツイスト角が９０度以上で同一の値を有し、複屈折率Δｎと厚さｄとの積Δｎ・ｄが共に０．７〜１．４μｍの範囲にあり、最近接分子同志のなす角度が直角であり、かつプレチルト角が同一であることを特徴とする液晶表示装置。」
と訂正する。
２．訂正事項２
　明細書の段落番号【０００８】
「【課題を解決するための手段】
　上記目的を達成するために、本発明の液晶表示装置は、第１偏光子と第２偏光子との間に、対向する一対の透明絶縁基板にそれぞれ電極と配向膜とを積層してそれらの基板間に液晶を封入した液晶パネルと、液晶パネル内での光の位相変化を補正する透明フィルムとを備えた液晶表示装置であって、透明フィルムは、液晶分子を含む部材、または液晶分子と同等の特性を有する分子を含む部材からなる透明なフィルムであり、液晶パネルの液晶と透明フィルムの部材とは、分子が互いに逆方向にツイストしツイスト角が９０度以上でほぼ同一の値を有し、複屈折率Δｎと厚さｄとの積Δｎ・ｄが共に０．７〜１．４μｍの範囲にあり、最近接分子同志のなす角度がほぼ直角であり、かつプレチルト角がほぼ同一であることを特徴とする。」
を、
「【課題を解決するための手段】
　上記目的を達成するために、本発明の液晶表示装置は、第１偏光子と第２偏光子との間に、対向する一対の透明絶縁基板にそれぞれ電極と配向膜とを積層してそれらの基板間に液晶を封入した液晶パネルと、液晶パネル内での光の位相変化を補正する透明フィルムとを備えた液晶表示装置であって、透明フィルムは、液晶分子を含む部材、または液晶分子と同等の特性を有する分子を含む部材からなる透明なフィルムであり、液晶パネルの液晶と透明フィルムの部材とは、分子が互いに逆方向にツイストしツイスト角が９０度以上で同一の値を有し、複屈折率Δｎと厚さｄとの積Δｎ・ｄが共に０．７〜１．４μｍの範囲にあり、最近接分子同志のなす角度が直角であり、かつプレチルト角が同一であることを特徴とする。」
と訂正する。
３．訂正事項３
　明細書の段落番号【００４４】
「図示するように各々の透明フィルムの分子４１Ａ〜４１Ｅの矢印３−１、３−２、３−３、３−４、３−５に示す方向は、液晶分子２Ａ〜２Ｅの各々の対して直角となり、透明フィルムの複屈折ΔＮ’と透明フィルムの厚さＤ’との積ΔＮ’・Ｄ’と、第１液晶パネルの複屈折ΔＮとセル厚Ｄとの積ΔＮ・Ｄとの違いが３０％以内である時、該装置に導入される光の光軸を回転させる作用が相殺される事となり、図１に示すように、液晶パネル２より出射された楕円偏光１０３は直線偏光１０４となる。」
を、
「図示するように各々の透明フィルムの分子４１Ａ〜４１Ｅの矢印３−１、３−２、３−３、３−４、３−５に示す方向は、液晶分子２Ａ〜２Ｅの各々に対して直角となり、透明フィルムの複屈折Δｎ’と透明フィルムの厚さｄ’との積Δｎ’・ｄ’と、第１液晶パネルの複屈折Δｎとセル厚ｄとの積Δｎ・ｄとの違いが３０％以内である時、該装置に導入される光の光軸を回転させる作用が相殺される事となり、図１に示すように、液晶パネル２より出射された楕円偏光１０３は直線偏光１０４となる。」
と訂正する。
（５４）【発明の名称】
液晶表示装置
（５７）【特許請求の範囲】
　　　　【請求項１】　第１偏光子と第２偏光子との間に、
　対向する一対の透明絶縁基板にそれぞれ電極と配向膜とを積層してそれらの基板間に液晶を封入した液晶パネルと、
　該液晶パネル内での光の位相変化を補正する透明フィルムとを備えた液晶表示装置であって、
　該透明フィルムは、液晶分子を含む部材、または液晶分子と同等の特性を有する分子を含む部材からなる透明なフィルムであり、
　該液晶パネルの液晶と該透明フィルムの部材とは、分子が互いに逆方向にツイストしツイスト角が９０度以上
で同
が直
が同
　ことを特徴とする液晶表示装置。
【発明の詳細な説明】
　【０００１】
　　【発明の属する技術分野】
　本発明は液晶表示装置に係り、特に白地に黒の多ライン表示を可能にした大容量の液晶表示装置に関する。
　【０００２】
　カラー表示を可能とする液晶表示装置として、単純マトリックス表示で白黒表示ができ、かつ多ライン表示が可能な大容量の液晶表示装置が要望されている。
　【０００３】
　　【従来の技術】
　従来の液晶表示装置としては、光の入射方向側よりみて２枚の偏光板に挟まれた一対の透明絶縁性基板にそれぞれ透明電極と配向膜を積層し、それらの透明絶縁性基板間に液晶を封入し、配向膜に配向処理を行うことで、上側の偏光板と下側の偏光板に挟まれた透明基板内の液晶のツイスト角度が下側の偏光板に到る程９０度ツイストされるＴＮ（Ｔｗｉｓｔｅｄ　Ｎｅｍａｔｉｃ）型液晶表示装置、或いは９０度以上ツイストされるＳＴＮ（Ｓｕｐｅｒ　Ｔｗｉｓｔｅｄ　Ｎｅｍａｔｉｃ）型液晶表示装置がある。
　【０００４】
　またその他の液晶表示装置として液晶のツイスト角度が１８０度以上のＳＢＥ（Ｓｕｐｅｒ　Ｂｉｒｅｆｒｉｎｇｅｎｃｅ　Ｅｆｆｅｃｔ）型液晶がある。
　【０００５】
　　【発明が解決しようとする課題】
　然し、上記したＴＮ型液晶表示装置は、液晶に印加する電圧に対して透過光量の変動が急峻でないため、単純マトリックス構造で白地に黒のライン数を４００程度まで多くした大容量の画面表示をすることは困難である。
　【０００６】
　また上記したＳＢＥ型液晶表示装置は、液晶に印加する電圧に対する透過光量の変動は急峻であるが、特定波長の光に於いて光の分散が大きく、表示が黄色地に黒、或いは白地に青となってしまい、白地に黒の表示が困難で、そのため、カラーフィルタを用いてもカラー表示をすることが困難であった。
　【０００７】
　本発明は上記した二種類の液晶表示装置の利用を兼ね備えるようにし、液晶に印加する電圧に対して透過光量の変動が急峻となるように、かつ透過光に対する光の分散を少なくすることで、白地に黒の多ライン表示が大画面で表示できるようにした液晶表示装置の提供を目的とする。
　【０００８】
　　【課題を解決するための手段】
　上記目的を達成するために、本発明の液晶表示装置は、第１偏光子と第２偏光子との間に、対向する一対の透明絶縁基板にそれぞれ電極と配向膜とを積層してそれらの基板間に液晶を封入した液晶パネルと、液晶パネル内での光の位相変化を補正する透明フィルムとを備えた液晶表示装置であって、透明フィルムは、液晶分子を含む部材、または液晶分子と同等の特性を有する分子を含む部材からなる透明なフィルムであり、液晶パネルの液晶と透明フィルムの部材とは、分子が互いに逆方向にツイストしツイスト角が９０度以上
で同
が直
が同
　【０００９】
　本発明の液晶表示装置は、図１に示すように、光の入射方向に対して液晶パネル２内の液晶のツイストに対して逆ツイストするような分子を有する透明フィルム４１と液晶パネル２とを積層して形成し、更に液晶パネル２の液晶は、ＳＢＥ型液晶装置に於ける液晶のツイスト角度を１８０度以上にツイストさせ、液晶に印加する電圧と透過光量の変動を大きくして多ライン表示を可能にする。
　【００１０】
　また第１偏光子で直線偏光にされた光は、液晶パネル２に電圧を印加しない時には、該液晶パネルのツイストされた液晶によって楕円偏光となり、この光が更に液晶パネル２の液晶のツイスト方向と逆方向にツイストするような分子を有する透明フィルム４１を通過して直線偏光となる。（即ち、透明フィルム４１は、液晶パネル２内で複屈折により位相の変化した光を補正して、液晶パネル２への入射光と同一の光とする補正部材としての作用を持っている。）そこで、まず直線偏光を円偏光に変換する変換部材の無い構成では、この光が第２偏光板により偏光されて暗状態（黒色の表示）となり、また直線偏光を円偏光にする変換部材のある構成ではこの光は円偏光となり第２偏光板を通過して白色の表示になる。
　【００１１】
　更に第１偏光板で直線偏光にされた光は、液晶パネル２に電圧を印加した時には、直線偏光となり、この光が更に透明フィルム４１を透過して楕円偏光となり、まず楕円偏光を略直線偏光にする変換部材の無い構成ではこの光が第２偏光板により明状態となり、各波長に於ける出射光強度が同一となり、略白色の表示となることで容易に白黒の表示を行うことができる。
　【００１２】
　また楕円偏光を略線偏光にする変換部材の有る構成では、この光は略直線偏光となり、第２偏光板により遮断されて略黒色の表示となることで、白黒の表示を行うことができる。
　【００１３】
　なお、上記透明フィルムの詳細は、発明の実施の形態の欄の末尾部にて説明する。
　【００１４】
　　【発明の実施の形態】
　以下、図面を用いながら本発明の一実施例につき詳細に説明する。
　【００１５】
　【００１６】
　【００１７】
　【００１８】
　【００１９】
　【００２０】
　【００２１】
　【００２２】
　【００２３】
　【００２４】
　【００２５】
　【００２６】
　【００２７】
　【００２８】
　【００２９】
　【００３０】
　【００３１】
　【００３２】
　【００３３】
　【００３４】
　【００３５】
　【００３６】
　【００３７】
　【００３８】
　図３に示すように第１偏光子１の下部には、マトリックスを組む線条の透明電極２１、２２と、配向膜２３、２４が形成され、シール剤２５で液晶封入空間を形成された一対の透明ガラス基板２６、２７の前記空間部に液晶２８が封入された液晶パネル２が設置され、その下には液晶のツイストに対して逆ツイストするような分子を有する透明フィルム４１が設置され、その下には１／４波長板４と第２偏光子５が設置されている。
　【００３９】
　この液晶２８は上側よりみて右廻りに２７０度ツイストさせ、透明フィルム４１内の分子は、透明フィルムの上部より見て左廻りに２７０度ツイストするように構成した。
　さらに、この透明フィルム４１と液晶パネル２とは、上記したツイスト角の外に、プレチルト角と、後述するΔｎ・ｄとをほぼ同一の値にする。
　【００４０】
　図３の要部の説明図の図４に示すように、このような装置を形成する場合、配向膜２３のラビング方向をｘ軸にとると、第１偏光子１と第２偏光子５の偏光方向は、矢印ａ，ｂに示すように、ｘ軸を境にして±３０度の方向となるようにし、１／４波長板４の主軸方向は、矢印ｃ方向に示すように、ｘ軸より１２０度の角度となるように、また配向膜２４のラビング方向は、矢印ｄ方向に示すように、ｘ軸に対して９０度となるようにする。
　【００４１】
　このような実施例の装置構成と、その動作に付いて前記した図１を用いて説明する。
　図示するように本実施例に於いては、光に入射方向に沿って第１偏光子１、液晶パネル２、および、面内では屈折率の異方性を持つが、異方性の主軸方向が液晶パネル２の液晶の主軸方向と垂直となるように構成された透明フィルム４１が設けられ、更に１／４波長板４、第２偏光子５が順次積層して構成される。本実施例では、第１偏光子１および第２偏光子５の偏光方向は相互に直角方向とする。
　【００４２】
　上記透明フィルム４１は液晶パネル２の画素に非選択電圧を印加した時の液晶パネル２より出射される楕円偏光１０３を直線偏光１０４にする機能を有する。
　【００４３】
　この透明フィルム４１の構成およびその動作を図２を用いて説明する。図で２Ａより２Ｅ迄は液晶パネル２のパネル面に対して垂直方向より見た時の液晶分子の状態を示し、２Ａはパネル上面に於ける液晶分子の状態を示し、２Ｅはパネル下面に於ける液晶分子の状態を示す。図で４１Ａより４１Ｅ迄は透明フィルム４１内の分子の状態を示す。
　【００４４】
　図示するように各々の透明フィルムの分子４１Ａ〜４１Ｅの矢印３−１、３−２、３−３、３−４、３−５に示す方向は、液晶分子２Ａ〜２Ｅの各々
に
Δｎ’
ｄ’
Δｎ’・ｄ’
Δｎ
ｄ
Δｎ・ｄ
　【００４５】
　更に図１に示すように、液晶パネル２の画素に非選択電圧を印加した場合に付いて考えると、楕円偏光１０３は透明フィルム４１より出射すると、直線偏光１０４となり、この直線偏光１０４は１／４波長板４を通過して円偏光１０５となり、更に第２偏光板５を通過して明状態となる。
　【００４６】
　更に液晶パネル２の画素に選択電圧を印加した場合を述べると、第１偏光子で偏光された直線偏光１０２は液晶パネル２を通過して略直線偏光１０７となり、更に透明フィルム４１を通過して楕円偏光１０８となり、１／４波長板４を通過して略直線偏光１０９となり、第２偏光子５によって遮断されて暗状態となる。このように液晶パネル２をマルチプレックス駆動することで白黒表示をすることができる。
　【００４７】
　ここで、上記透明フィルム４１には、延伸方向を異ならせて多重に積層したフィルムや、特開昭６１−１１８７０３号公報に開示されたコレステリック液晶フィルム、コレステリック液晶の代わりにそれと同等の光学的作用を有する有機高分子を図２に示すような形に配列したフィルム等が適用できる。
　【００４８】
　上記したコレステリック液晶フィルムは、その公開公報に示されているように、ラビング処理をしたガラス基板間にコレステリック液晶を挟持した後重合処理を行って形成したコレステリック液晶の固体ポリマフィルムである。上記のようにラビング処理がなされることからして、このコレステリック液晶フィルムは必然的にプレチルトを持つものとなる。ラビング処理でプレチルトが発生することに関しては、単行本「液晶・応用編」（岡野光治・小林駿介共著、１９８５年発行、培風館）に記載されている。即ち、第２７頁の下から８行目に「（ｉ）２〜３°のプレティルトを与える（ラビング法で自然とそうなる）」、第５７頁第１２行目に「ラビング法でも２〜３°のプレティルトは発生する（図２．７）」、第５７頁図２．８のタイトルに「ラビングによるプレティルトの発生予想図」と記載されている。
　【００４９】
　このようなコレステリック液晶の固体ポリマフィルムを用いれば、図２に示したような構成を有する透明フィルム４１を適確に形成することができる。
　また本発明の変形例として上記実施例に於いて、１／４波長板を省略した構造をとった場合、厳密な意味での白色表示は得られないが、ＯＡ機器の端末装置として用いる場合は実用上差し支えないレベルの白色表示を実現することができる。
　【００５０】
　　【発明の効果】
　以上の説明から明らかなように本発明によれば、従来の単純マトリックス表示では実現できなかった白黒表示で、かつ４００ラインでコントラスト比が２０の大画面を表示できる液晶表示装置が得られる効果がある。
【図面の簡単な説明】
　　　【図面の簡単な説明】
　【図１】　　本発明の装置の構成図
　【図２】　　液晶パネルおよび透明フィルムの状態図
　【図３】　　本発明の実施例の断面図
　【図４】　　図３の要部の説明図
　　【符号の説明】
１　　　　　　　　　　　　　　　　　　　第１偏光子
２　　　　　　　　　　　　　　　　　　　液晶パネル
２Ａ，２Ｂ，２Ｃ，２Ｄ，２Ｅ　　　　　　液晶分子
４　　　　　　　　　　　　　　　　　　　１／４波長板
５　　　　　　　　　　　　　　　　　　　第２偏光子
２１，２２　　　　　　　　　　　　　　　透明電極
２３，２４　　　　　　　　　　　　　　　配向膜
２５　　　　　　　　　　　　　　　　　　シール剤
２６，２７　　　　　　　　　　　　　　　透明ガラス基板
２８　　　　　　　　　　　　　　　　　　液晶
４１　　　　　　　　　　　　　　　　　　透明フィルム
４１Ａ，４１Ｂ，４１Ｃ，４１Ｄ，４１Ｅ　透明フィルムの分子
２−１，２−２，２−３，２−４，２−５　液晶の配向方向を示す矢印
３−１，３−２，３−３，３−４，３−５　透明フィルムの分子の方向を示す矢印
１０１，１０２，１０４　　　　　　　　　直線偏光を示す矢印
１０７，１０９　　　　　　　　　　　　　略直線偏光を示す矢印
１０３，１０８　　　　　　　　　　　　　楕円偏光を示す矢印
１０５　　　　　　　　　　　　　　　　　円偏光を示す矢印
ａ　　　　　　　　　　　　　　　　　　　第１偏光子の偏光方向
ｂ　　　　　　　　　　　　　　　　　　　第２偏光子の偏光方向
ｃ　　　　　　　　　　　　　　　　　　　１／４波長板の主軸方向
ｄ　　　　　　　　　　　　　　　　　　　配向膜のラビング方向